(57)【特許請求の範囲】
【請求項１】
複数の機器間でデータと制御信号を送信および受信する通信が可能なネットワークに接続可能であり、アイソクロナス通信によって、映像および／または音声を含むＡＶデータを送信することが可能な電子機器であって、
前記通信を介して、前記ネットワークに接続された他の機器から、機器ユニークＩＤを取得する機器ユニークＩＤ取得手段と、
前記取得された機器ユニークＩＤに対応した、接続名称を保持する接続名称保持手段と、
前記通信を介して、前記ネットワークに接続された他の機器から、該他の機器の特性を示す機器タイプ、および／または、該他の機器の製品名および／または製品型番の文字列情報である機器テキストを取得する機器付属情報取得手段と、
前記取得された機器ユニークＩＤにて識別されるメーカの名称と、前記取得された機器タイプと、前記取得された機器テキスト、の少なくとも一つと、前記保持された接続名称と、を含む表示項目を用いて、前記他の機器に関する表示データを表示手段に出力する機器表示出力手段と、
前記表示出力される他の機器から、機器を選択する機器選択手段と、
前記ＡＶデータの送信にかかる一連の処理を実行するとともに、前記選択された機器に対し、前記通信を用いて制御することによって、自機器が送信するＡＶデータの記録開始にかかる一連の処理を実行させる記録実行手段と、
前記選択された機器に対してＡＶデータの記録を開始させる際に、該機器が記録開始可能な状態であるかどうかを、前記通信を用いて調べる判断手段と、
前記判断手段に記録開始不能と判断された場合に、その旨を表示および／または音声によって通知するための通知データの出力を行う通知手段と、を備えることを特徴とする電子機器。
【請求項２】
複数の機器間でデータと制御信号を送信および受信する通信が可能なネットワークに接続可能であり、アイソクロナス通信によって、映像および／または音声を含むＡＶデータを送信することが可能な電子機器であって、
前記通信を介して、前記ネットワークに接続された他の機器から、機器ユニークＩＤを取得する機器ユニークＩＤ取得手段と、
前記取得された機器ユニークＩＤに対応した、接続名称を保持する接続名称保持手段と、
前記通信を介して、前記ネットワークに接続された他の機器から、該他の機器の特性を示す機器タイプ、および／または、該他の機器の製品名および／または製品型番の文字列情報である機器テキストを取得する機器付属情報取得手段と、
前記取得された機器ユニークＩＤにて識別されるメーカの名称と、前記取得された機器タイプと、前記取得された機器テキスト、の少なくとも一つと、前記保持された接続名称と、を含む表示項目を用いて、前記他の機器に関する表示データを表示手段に出力する機器表示出力手段と、
前記表示出力される他の機器から、機器を選択する機器選択手段と、
前記ＡＶデータの送信にかかる一連の処理を実行するとともに、前記選択された機器に対し、前記通信を用いて制御することによって、自機器が送信するＡＶデータの記録開始にかかる一連の処理を実行させる記録実行手段と、
前記記録実行手段による記録の実行中に、前記選択された機器に対して、記録を続けているかどうかを前記通信を用いて調べる確認手段と、
前記確認手段に記録を行っていないと確認された場合に、その旨を表示および／または音声によって通知するための通知データの出力を行う通知手段と、を備えることを特徴とする電子機器。
【請求項３】
複数の機器間でデータと制御信号を送信および受信する通信が可能なネットワークに接続可能であり、アイソクロナス通信によって、映像および／または音声を含むＡＶデータを送信することが可能な電子機器であって、
前記通信を介して、前記ネットワークに接続された他の機器から、機器ユニークＩＤを取得する機器ユニークＩＤ取得手段と、
前記取得された機器ユニークＩＤに対応した、接続名称を保持する接続名称保持手段と、
前記通信を介して、前記ネットワークに接続された他の機器から、該他の機器の特性を示す機器タイプ、および／または、該他の機器の製品名および／または製品型番の文字列情報である機器テキストを取得する機器付属情報取得手段と、
前記取得された機器ユニークＩＤにて識別されるメーカの名称と、前記取得された機器タイプと、前記取得された機器テキスト、の少なくとも一つと、前記保持された接続名称と、を含む表示項目を用いて、前記他の機器に関する表示データを表示手段に出力する機器表示出力手段と、
前記表示出力される他の機器から、機器を選択する機器選択手段と、
前記ＡＶデータの送信にかかる一連の処理を実行するとともに、前記選択された機器に対し、前記通信を用いて制御することによって、自機器が送信するＡＶデータの記録開始にかかる一連の処理を実行させる記録実行手段と、
前記記録実行手段による記録の実行中に、前記選択された機器に対して、記録を続けているかどうかを、前記通信を用いて調べる確認手段と、
前記確認手段に記録を行っていないと確認された場合に、その旨を表示および／または音声によって通知するための通知データの出力を行う通知手段と、を備え、
前記通知出力とともに、自機器におけるＡＶデータの送信を停止する、ことを特徴とする電子機器。
【請求項４】
複数の機器間でデータと制御信号を送信および受信する通信が可能なネットワークに接続可能であり、アイソクロナス通信によって、映像および／または音声を含むＡＶデータを送信することが可能な電子機器であって、
前記通信を介して、前記ネットワークに接続された他の機器から、機器ユニークＩＤを取得する機器ユニークＩＤ取得手段と、
前記取得された機器ユニークＩＤに対応した、接続名称を保持する接続名称保持手段と、
前記通信を介して、前記ネットワークに接続された他の機器から、該他の機器の特性を示す機器タイプ、および／または、該他の機器の製品名および／または製品型番の文字列情報である機器テキストを取得する機器付属情報取得手段と、
前記取得された機器ユニークＩＤにて識別されるメーカの名称と、前記取得された機器タイプと、前記取得された機器テキスト、の少なくとも一つと、前記保持された接続名称と、を含む表示項目を用いて、前記他の機器に関する表示データを表示手段に出力する機器表示出力手段と、
前記表示出力される他の機器から、機器を選択する機器選択手段と、
前記ＡＶデータの送信にかかる一連の処理を実行するとともに、
前記選択された機器に対し、前記通信を用いて制御することによって、自機器が送信するＡＶデータの記録開始にかかる一連の処理を実行させる記録実行手段と、
前記選択された機器に対してＡＶデータの記録を開始させる際に、該機器が記録開始可能な状態であるかどうかを、前記通信を用いて調べる判断手段と、
前記判断手段に記録開始不能と判断された場合に、その旨を表示および／または音声によって通知するための通知データの出力を行う通知手段と、
前記判断手段は、前記選択された機器に対して、記録媒体を装着しているか、および／または、装着されている記録媒体は記録可能な状態か、を調べるように構成される、ことを特徴とする電子機器。
【請求項５】
複数の機器間で、データと制御信号を送信および受信する通信を用いて、映像および／または音声を含むＡＶデータを記録再生する記録再生方法であって、
前記ＡＶデータを再生する電子機器は、
前記通信を介して、他の機器から機器ユニークＩＤを取得し、
該取得された機器ユニークＩＤに対応した接続名称を、前記通信を介さずに取得し、
前記通信を介して、前記他の機器から、該他の機器の特性を示す機器タイプ、
および／または、該他の機器の製品名および／または製品型番の文字列情報である機器テキストを取得し、
前記取得された機器ユニークＩＤにて識別されるメーカの名称と、前記取得された機器タイプと、前記取得された機器テキスト、の少なくとも一つと、前記保持された接続名称と、を含む表示項目を用いて、前記他の機器に関する表示データの出力を行い、
記録再生にかかる機能の実行指示と、前記表示出力される他の機器から所望の機器を選択する選択指示と、を受け付けた場合に、前記ＡＶデータの送信を行うとともに、
前記選択された機器に対し、前記通信を用いて制御することによって、自機器が送信するＡＶデータの記録を開始させ、
前記選択された機器に対してＡＶデータの記録を開始させる際に、該機器が記録開始可能な状態であるかどうかを、前記通信を用いて判断し、
記録開始不能と判断された場合に、その旨を表示および／または音声によって通知するための通知データの出力を行う、ことを特徴とする記録再生方法。
【請求項６】
複数の機器間で、データと制御信号を送信および受信する通信を用いて、映像および／または音声を含むＡＶデータを記録再生する記録再生方法であって、
前記ＡＶデータを再生する電子機器は、
前記通信を介して、他の機器から機器ユニークＩＤを取得し、
該取得された機器ユニークＩＤに対応した接続名称を、前記通信を介さずに取得し、
前記通信を介して、前記他の機器から、該他の機器の特性を示す機器タイプ、
および／または、該他の機器の製品名および／または製品型番の文字列情報である機器テキストを取得し、
前記取得された機器ユニークＩＤにて識別されるメーカの名称と、前記取得された機器タイプと、前記取得された機器テキスト、の少なくとも一つと、前記保持された接続名称と、を含む表示項目を用いて、前記他の機器に関する表示データの出力を行い、
記録再生にかかる機能の実行指示と、前記表示出力される他の機器から所望の機器を選択する選択指示と、を受け付けた場合に、前記ＡＶデータの送信を行うとともに、
前記選択された機器に対し、前記通信を用いて制御することによって、自機器が送信するＡＶデータの記録を開始させ、
前記記録の実行中に、前記選択された機器に対して、記録を続けているかどうかを前記通信を用いて確認し、記録を行っていないと確認された場合に、その旨を表示および／または音声によって通知するための通知データの出力を行う、ことを特徴とする記録再生方法。
【請求項７】
複数の機器間で、データと制御信号を送信および受信する通信を用いて、映像および／または音声を含むＡＶデータを記録再生する記録再生方法であって、
前記ＡＶデータを再生する電子機器は、
前記通信を介して、他の機器から機器ユニークＩＤを取得し、
該取得された機器ユニークＩＤに対応した接続名称を、前記通信を介さずに取得し、
前記通信を介して、前記他の機器から、該他の機器の特性を示す機器タイプ、
および／または、該他の機器の製品名および／または製品型番の文字列情報である機器テキストを取得し、
前記取得された機器ユニークＩＤにて識別されるメーカの名称と、前記取得された機器タイプと、前記取得された機器テキスト、の少なくとも一つと、前記保持された接続名称と、を含む表示項目を用いて、前記他の機器に関する表示データの出力を行い、
記録再生にかかる機能の実行指示と、前記表示出力される他の機器から所望の機器を選択する選択指示と、を受け付けた場合に、前記ＡＶデータの送信を行うとともに、
前記選択された機器に対し、前記通信を用いて制御することによって、自機器が送信するＡＶデータの記録を開始させ、
前記記録の実行中に、前記選択された機器に対して、記録を続けているかどうかを、前記通信を用いて確認し、記録を行っていないと確認された場合に、その旨を表示および／または音声によって通知するための通知データの出力を行うとともに、自機器におけるＡＶデータの送信を停止する、ことを特徴とする記録再生方法。
【請求項８】
複数の機器間で、データと制御信号を送信および受信する通信を用いて、映像および／または音声を含むＡＶデータを記録再生する記録再生方法であって、
前記ＡＶデータを再生する電子機器は、
前記通信を介して、他の機器から機器ユニークＩＤを取得し、
該取得された機器ユニークＩＤに対応した接続名称を、前記通信を介さずに取得し、
前記通信を介して、前記他の機器から、該他の機器の特性を示す機器タイプ、
および／または、該他の機器の製品名および／または製品型番の文字列情報である機器テキストを取得し、
前記取得された機器ユニークＩＤにて識別されるメーカの名称と、前記取得された機器タイプと、前記取得された機器テキスト、の少なくとも一つと、前記保持された接続名称と、を含む表示項目を用いて、前記他の機器に関する表示データの出力を行い、
記録再生にかかる機能の実行指示と、前記表示出力される他の機器から所望の機器を選択する選択指示と、を受け付けた場合に、前記ＡＶデータの送信を行うとともに、
前記選択された機器に対し、前記通信を用いて制御することによって、自機器が送信するＡＶデータの記録を開始させ、
前記選択された機器に対してＡＶデータの記録を開始させる際に、該機器が記録開始可能な状態であるかどうかを、前記通信を用いて判断し、
記録開始不能と判断された場合に、その旨を表示および／または音声によって通知するための通知データの出力を行い、
前記判断においては、前記選択された機器に対して、記録媒体を装着しているか、および／または、装着されている記録媒体は記録可能な状態か、を調べるようになされる、ことを特徴とする記録再生方法。
【発明の詳細な説明】
【０００１】
【発明の属する技術分野】
本発明は、データと制御信号の通信が可能なネットワークに接続可能な機器において、ネットワークに接続された機器の一覧表示を行い、該一覧表示を利用して、データの記録再生に関わる機能を実行する電子機器および記録再生方法に関する。
【０００２】
【従来の技術】
デジタルＶＴＲやデジタル衛星放送受信機（以下ＩＲＤ）などのようにＡ／Ｖ機器がデジタル化されるに伴って、そのデジタルＡ／Ｖ機器同士やパーソナルコンピュータ（以下ＰＣ）などの情報処理装置などをＩＥＥＥ１３９４シリアルバスを用いて接続するネットワークシステムが考えられてきている。ＩＥＥＥ１３９４シリアルバスは、「ＩＥＥＥ  Ｓｔａｎｄａｒｄ  ｆｏｒ  ａ  Ｈｉｇｈ  Ｐｅｒｆｏｒｍａｎｃｅ  Ｓｅｒｉａｌ  Ｂｕｓ」（以降ＩＥＥＥ１３９４規格）として「ＩＥＥＥ  Ｓｔｄ  １３９４−１９９５」に規格化されているもので、アイソクロナス通信による映像信号や音声信号などの（特にデジタルＡＶ）データの伝送と非同期通信による制御信号の伝送を可能とするものである。
【０００３】
そして、このＩＥＥＥ１３９４シリアルバスによるネットワークシステムでは、システムを構成する各機器はツリー状に接続される。これらの機器は、上記ＩＥＥＥ１３９４規格により、そのメーカＩＤとシリアル番号を含む機器ユニークＩＤを特定のエリアに保持しており、通信を介して相互に取得することが可能である。
【０００４】
また、一方では、１３９４シリアルバスを利用してＡＶ機器を制御するための方法について、「ＡＶ／Ｃ  Ｄｉｇｉｔａｌ  Ｉｎｔｅｒｆａｃｅ  Ｃｏｍｍａｎｄ  Ｓｅｔ」（以降ＡＶ／Ｃコマンド規格）が「１３９４  Ｔｒａｄｅ  Ａｓｓｏｃｉａｔｉｏｎ」によって公開されており、これを用いることによって、上記メーカＩＤに加え、機器の特性を示す機器タイプを取得することが可能となっている。
【０００５】
上記のようなＩＥＥＥ１３９４規格やＡＶ／Ｃコマンド規格を利用することによって、メーカＩＤと機器タイプを用いて、ネットワークシステムに接続された機器の一覧を表示することができる。
【０００６】
しかしながら、一つのネットワークシステムには、同一のメーカでかつ同一の機器タイプの機器が複数存在する可能性があり、このような場合には、シリアル番号、あるいは、「ＶＴＲ１」「ＶＴＲ２」などと補助的な情報、を加えて表示するしか手段はなかった。
【０００７】
このような問題に対し、他の従来技術としては、例えば特開平９−３２６７９９号公報に公開されている「通信制御方法、通新システムおよびそれに用いる電子機器」がある。これは、上記ＡＶ／Ｃコマンド規格などを利用して、各機器からアイコン情報や機能情報を取得し、これを用いて機器の一覧表示やコントロールパネル（操作画面）を表示するものである。
【０００８】
一方で、データの記録再生に関わる機能に関する従来技術としては、例えば、特開平８−４５２５５号公報に公開されている「オーディオビデオシステムの制御方法」がある。これは、データ信号が無くなったら、もしくは、記録側／再生側いずれかの記録媒体が終了したら、もしくは、タイマー設定による終了時刻に達したら、これらに関する機器全ての電源をオフにするものである。
【０００９】
【発明が解決しようとする課題】
上記特開平９−３２６７９９号公報は、各機器から取得したアイコン情報や機能情報を用いて、機器の一覧表示やコントロールパネル（操作画面）を表示するものである。これによれば、無駄な（利用できない）機能の操作を未然に防ぐことが出来るという点で有効である。
【００１０】
しかしながら、例えば、あるＶＴＲから別のＶＴＲへのダビングを行うといった、複数の機器が連携したマクロ的な機能を考慮した場合、コントロールパネルへの操作、すなわち再生や記録や一時停止といった単機能の操作では、ステップが多く煩雑である。
【００１１】
このようなダビングなどの機能における必要最低限の操作は、どの機器からどの機器へのどんな機能なのかを指示することである。本発明は、上記従来の技術では実現されていない、このような操作体系を提供することを目的としており、具体的には、機能のそれに使用する機器の選択指示のみで、所望の機能を利用できるようにすることを目的としている。
【００１２】
また一方で、上記特開平８−４５２５５号公報は、特定の要因で、実行中の機能を終了させ、かつ、該機能に関する機器全ての電源をオフにするものである。これは、予め設定された要因が検知された場合に、電源オフまでの制御を自動で行うことが出来るという点で有効である。
【００１３】
しかしながら、全ての機能について、機能終了かつ電源オフされることが望ましいとは限らない。ほぼ全ての機能において、機能の終了時に、その要因をユーザに通知する方が望ましい。通知がなければ、ユーザには機能が正常に終了したかどうかも判断できないからである。また、機能によっては、一度ユーザに通知し、何らかの操作あるいは選択を促した方が望ましい場合もある。例えば、ダビング機能を利用中に、記録機器側の記録媒体が終了した場合などは、その旨を通知して、かつ、記録媒体の差し替えを促す、さらには、記録続行か中断かを選択させるような方法が望ましい。
【００１４】
本発明は、このような問題を解決するためになされたものであり、上述の目的に加えて、ダビング機能などのある特定の機能がそのままでは続行不能となった場合に、その旨をユーザに通知することを目的としている。
【００１５】
【課題を解決するための手段】
本発明は、前記目的を達成するために、次のような構成を採用するものである。
【００１６】
複数の機器間でデータと制御信号を送信および受信する通信が可能なネットワークに接続可能な電子機器であって、
ネットワークに接続された他の機器のメーカの名称と、他の機器の接続名称と、を含む表示項目を用いて、他の機器に関する表示データを表示手段に出力する機器表示出力手段と、
前記表示出力される他の機器から、機器を選択する機器選択手段と、
前記他の機器のいずれかとの連携によって実行される、機能のうちいずれか一つの機能の実行指示を受け付ける実行指示手段と、
前記機器選択手段に選択された機器を、前記通信を用いて制御することによって、前記実行指示手段に指示された機能を実行する機能実行手段と、を備える構成とした。
【００１７】
さらに、アイソクロナス通信によって、映像および／または音声を含むＡＶデータを送信することが可能な電子機器であって、
前記通信を介して、前記ネットワークに接続された他の機器から、機器ユニークＩＤを取得する機器ユニークＩＤ取得手段と、
前記取得された機器ユニークＩＤに対応した、接続名称を保持する接続名称保持手段と、
前記通信を介して、前記ネットワークに接続された他の機器から、該他の機器の特性を示す機器タイプ、および／または、該他の機器の製品名および／または製品型番の文字列情報である機器テキストを取得する機器付属情報取得手段と、
前記取得された機器ユニークＩＤにて識別されるメーカの名称と、前記取得された機器タイプと、前記取得された機器テキスト、の少なくとも一つと、前記保持された接続名称と、を含む表示項目を用いて、前記他の機器に関する表示データを表示手段に出力する機器表示出力手段と、
前記表示出力される他の機器から、機器を選択する機器選択手段と、
前記ＡＶデータの送信を行うとともに、
前記選択された機器に対し、前記非同期通信を用いて制御することによって、自機器が送信するＡＶデータの記録を開始させる記録実行手段と、を備える。
【００１８】
また、前記電子機器であって、
記録実行手段による記録の実行中に、前記選択された機器に対して、記録を続けているかどうかを、前記通信を用いて調べる確認手段と、
前記確認手段に記録を行っていないと確認された場合に、その旨を表示および／または音声によって通知するための通知データの出力を行う通知手段と、を備え、
前記通知出力とともに、自機器におけるＡＶデータの送信を停止する構成とする。
【００１９】
さらに、前記電子機器であって、
前記通知手段は、前記記録を再開する指示を受け付けるように構成され、
前記記録の再開の指示がなされた場合に、前記選択された機器に対して、前記通信を用いて前記記録を開始させるよう制御するとともに、自機器におけるＡＶデータの送信を開始する構成とした。
【００２０】
一方本発明による記録再生方法は、複数の機器間で、データと制御信号を送信および受信する通信を用いて、映像および／または音声を含むＡＶデータを記録再生する記録再生方法であって、
前記ＡＶデータを再生する電子機器は、
ネットワークに接続された他の機器のメーカの名称と、他の機器の接続名称と、を含む表示項目を用いて、他の機器に関する表示データを表示手段に出力し、
記録再生にかかる機能の実行指示と、前記表示出力される他の機器から所望の機器を選択する選択指示と、を受け付けた場合に、
前記ＡＶデータの送信を行うとともに、
前記選択された機器に対し、前記通信を用いて制御することによって、自機器が送信するＡＶデータの記録を開始させる、ことを特徴とする。
【００２１】
【発明の実施の形態】
以下、添付図面を参照して、本発明の実施形態について説明する。
【００２２】
この実施形態では、アイソクロナス通信による映像や音声信号などのデータの伝送と、非同期通信による制御信号などの伝送を可能とする１３９４シリアルバスを用いた、ネットワークシステムの形態を用いる。
【００２３】
そして、機器に対してユーザが設定した名称を用いて、該ネットワークシステムに接続された機器の一覧表示を行う方法、該一覧表示を用いて機器間の接続設定を行う方法、及び、該一覧表示を用いたＶＴＲのダビング機能を実現する為の方法について説明する。
【００２４】
図１乃至図１１において、１００は１３９４シリアルバス、１１０、１２０はＶＴＲ、１２０は放送受信機（以降ＩＲＤ）、１４０はＴＶ、１１１、１２１、１３１は通信制御部、１１２、１２２、１３２はシステム制御部、１１３、１２３、１３３は接続設定制御部、１１６、１２６、１３６は表示制御部、２００は機器一覧画面、３００は機器固有情報、４１０はデータ読み出し要求パケット、４２０はデータ読み出し応答パケット、５００はコマンドパケット、６００は接続名管理情報、８００は表示設定情報、９００は接続名入力画面、１１００は接続設定画面、をそれぞれ表す。
【００２５】
まず最初に、本実施形態にかかるネットワークシステム、及び各々の機器の構成例について、図１を用いて説明する。
【００２６】
図１に示されている通り、機器としてはＶＴＲ−Ａ１１０とＶＴＲ−Ｂ１２０とＩＲＤ１３０が存在し、これらが１３９４シリアルバス１００によって接続され、ネットワークシステムを構成している。ＶＴＲ−Ａ１１０及びＶＴＲ−Ｂ１２０はＶＴＲであり、特に本実施形態ではデジタルＡＶ信号を磁気テープに記録再生する機器である。またＩＲＤ１３０はＩＲＤであり、特に本実施形態ではデジタルＡＶ信号を放送から受信する機器である。
【００２７】
まず、ＶＴＲ−Ａ１１０は、特に本実施形態では、上述の機器の一覧表示（の表示データ）の生成および制御を行う機器であり、内部に、前記ネットワークシステム上の他の機器との通信を司る通信制御部１１１を備えている。この通信制御部１１１は、前記ネットワークシステムに接続するために必須の構成要素であり、例えば、本発明にかかる、機器の識別情報（機器固有情報３００など）の取得のための通信に用いられるものである。
【００２８】
ＶＴＲ−Ａ１１０には、さらに、接続設定制御部１１３が備えられ、これによって前記通信制御部１１１を用いて前記機器の一覧表示機能を提供する。さらには、磁気テープ１１５への記録再生にかかる図示されない磁気ヘッドやリールなどのメカニズムを制御する記録再生制御部１１４と、通信を介して取得されたもしくは磁気テープ１１５から再生されたデジタルＡＶ信号、及び、本発明にかかる機器の一覧画面を、ＴＶ１４０などの内部または外部の表示装置で表示するための表示データを生成、出力制御する表示制御部１１６、及び、ＶＴＲ−Ａ１１０全体の制御を行うシステム制御部１１２とが備えられる。
【００２９】
次に、ＶＴＲ−Ｂ１２０は、特に本実施形態では、ＶＴＲ−Ａ１１０が表示する上述の機器一覧の対象となる機器である。その構成はＶＴＲ−Ａ１１０とほぼ同様であり、通信制御部１２１、システム制御部１２２、接続設定制御部１２３、記録再生制御部１２４、磁気テープ１２５、表示制御部１２６、とを備えている。
【００３０】
次に、ＩＲＤ１３０は、特に本実施形態では、ＶＴＲ−Ａ１１０が表示する（実際には、ＴＶ１４０などの内部または外部の表示装置に表示させる。以降についても同様）上述の機器一覧の対象となる機器である。まず、ＶＴＲ−Ａ１１０と同様に、通信制御部１３１、接続設定制御部１３３とを備え、さらに、放送からのデジタルＡＶ信号を受信するチューナ１３４と、チューナ１３４に受信された時分割多重化されているデジタルＡＶ信号から適切なデジタルＡＶ信号を抽出するデマルチプレクサであるＤＥＭＵＸ１３５と、ＤＥＭＵＸ１３５に抽出されたデジタルＡＶ信号（及び、機器の一覧表示機能を提供する場合は、機器の一覧画面も）を、内部または外部の表示装置で表示するための表示データを生成、出力制御する表示制御部１３６、及び、ＩＲＤ−Ａ１１０全体の制御を行うシステム制御部１３２と、を備えている。
【００３１】
なお、ＶＴＲ−Ｂ１２０とＩＲＤ１３０については、機器の一覧表示機能を提供しない場合は、接続設定制御部１２３、１３３は必須ではなく、また、表示制御部１２６、１３６は、機器一覧画面を表示する機能を備えなくとも良い。
【００３２】
以上で、本実施形態にかかるネットワークシステムの構成例、及びその構成をなす機器であるＶＴＲ−Ａ１１０、ＶＴＲ−Ｂ１２０、ＩＲＤ１３０の構成例についての説明を終える。
【００３３】
なお、図１に示したネットワークシステムの例では、ＶＴＲ−Ａ１１０、ＶＴＲ−Ｂ１２０、及びＩＲＤ１３０を、ネットワーク上の機器としたが、前述の通信制御部（１１１、１２１、１３１）と、システム制御部（１１２、１２２、１３２）を備えていれば、本発明にかかる機器一覧の対象となる機器として適用することが可能であり、さらに、接続設定制御部（１１３、１２３、１３３）と、表示制御部（１１６、１２６、１３６）を備えていれば、本発明にかかる機器一覧表示の生成および制御を行う機器として適用することが可能である（これらの機器の例としては、ＴＶ、ビデオディスクプレーヤ／レコーダなどのＡＶ機器や、ＰＣなどの情報処理装置などが挙げられる）。
【００３４】
さて、以降では、上述のような構成のネットワークシステムに接続された機器の一覧表示を行う方法について説明するが、まず、本発明によって実現される該表示画面例、及びその操作例について図２を用いて説明する。
【００３５】
図２において、２００が機器の一覧表示画面（以降、機器一覧画面）を示している。この機器一覧画面２００内には、まず、ネットワークシステムに接続された機器の一覧が表示される。具体的には、各機器について、機器の番号を示す機器番号２１０、機器のメーカを示すメーカ２２０、機器の種別を機能などによって分類した機種２３０、及び、特に本発明にかかる、機器に対してユーザが設定した名称である接続名２４０を表示する。個々の機器はこれら複数の項目から表現され、機器本体の操作キーやリモコンなどの操作によってユーザが任意の機器を選択することが可能である（図では白黒反転表示されている機器が選択中である）。そして、選択中の機器に関する付属情報が付属情報表示エリア２６０に表示される。
【００３６】
さらには、機器の一覧の最終を明示的に示すための情報（図では２５０の「最終データ」エリア）が、一覧の最後に表示される機器の一つ下段に表示される。これは、特に、上記のメーカ２２０、機種２３０、接続名２４０が取得できず、結果としてこれらの情報を表示できない場合に、その旨を示すためのものとして有効となる。
【００３７】
また、この機器一覧画面２００では、次に述べる機能を提供する。まず、上述の操作にて機器を選択して「決定」を指示すると、前述の接続名２４０に表示される文字列を設定する為の画面へ切り換える。また、機器番号２１０、メーカ２２０、機種２３０、接続名２４０の、いずれか一つの表示項目のタグを選択して「ソート」を指示すると、選択された項目について、一覧に表示される各機器の表示順序を変更（ソート）する。また、（具体的操作例は省略するが）これら各表示項目について、その項目を一覧表示に用いるかどうかの選択を可能にする。さらには、ネットワークシステムに多数の機器が接続されており、機器の一覧が一画面内に表示できない場合に、「頁」を指示すると、前／次のいずれかの一覧画面へ切り換える。
【００３８】
なお、上述した機器の表示順序の変更方法（並び替え方法）は、五十音順、アルファベット順、文字コード順など、さらには表示順序の方向など、様々な方法が考えられる。また、並び替え手段については、良く知られた方式（アルゴリズム）を利用すれば良い。
【００３９】
また、本画面の表示処理を行うにあたり、接続された機器が一台も認識されない場合は、図１５に示すようなメッセージ１５００の表示、および／または、音声の出力を行うことによって、ユーザにその旨を知らせることも、本発明の特徴の一つである。
【００４０】
次に、このような機器一覧画面２００を表示するために用いられる、各種データ構造、及び、機器間の通信に使用されるパケット構造について説明する。
【００４１】
機器一覧画面２００内の、メーカ２２０、機種２３０、付属情報表示エリア２６０に表示するための情報は、ネットワークシステム上の各機器の通信制御部（１１１、１２１、１３１）において保持される情報である。まず最初に、各機器が保持しているこれらの情報について図３を用いて説明する。
【００４２】
図３において、３００は各機器が各々の機器に関する情報を保持している機器固有情報である。この機器固有情報３００には、該ネットワークシステムに接続され得る全機器において、機器を唯一に識別する為の情報である機器ユニークＩＤ３１０と、機器の種別を示す機器タイプ３０１と、機器の製品名および／または製品型番の文字列情報である機器テキスト３０２（機器のメーカ名および／または機器の種別の文字列情報を含む場合もある）と、が保持される。機器ユニークＩＤ３１０は、機器のメーカを識別する為の情報であるメーカＩＤ３１１と、該メーカＩＤ３１１に識別されるメーカが提供する全機器において、機器を唯一に識別する為の情報であるシリアルＩＤ３１２と、の二つのフィールドに分類されるものである。
【００４３】
次に、この機器固有情報３００に含まれる各種情報などを、１３９４シリアルバス１００を介して、他の機器から取得する為に用いられる非同期通信のパケットの構造について、図４を用いて説明する。
【００４４】
図４（ａ）における４１０は、他の機器に対してデータの読み出しを要求する際に用いられるデータ読み出し要求パケットであり、これに対し、図４（ｂ）における４２０は、該データ読み出し要求パケット４１０に応答するためのデータ読み出し応答パケットである。これらのパケット４１０、４２０のパケット構造、及びその使用方法については、「ＩＥＥＥ１３９４規格」に規格化されている為、ここでは、パケット構造の概略についてのみ説明する。
【００４５】
データ読み出し要求パケット４１０は、該パケットの送信先の機器を示す送信先ＩＤ４１１と、該パケットの属性を示すパケット属性４１２と、該パケットの送信元の機器を示す送信元ＩＤ４１３と、読み出すデータが格納されているアドレス（送信先ＩＤに示される機器におけるアドレス）を示すデータアドレス４１４と、読み出すデータのデータ長を示すデータ長４１５と、を含んで構成されるものである。パケット属性４１２には、データ読み出し要求パケットであることを示す値が格納される。
【００４６】
データ読み出し応答パケット４２０は、該パケットの送信先の機器を示す送信先ＩＤ４２１と、該パケットの属性を示すパケット属性４２２と、該パケットの送信元の機器を示す送信元ＩＤ４２３と、対応するデータ読み出し要求パケット４１０に要求されたデータ（要求に正確に応答できる場合、エラーの場合についての詳細はここでは省略する）であるデータ４２５と、該データ４２５のデータ長を示すデータ長４２４と、を含んで構成されるものである。パケット属性４２２には、データ読み出し応答パケットであることを示す値が格納される。
【００４７】
なお、このようなパケット４１０、４２０によって他の機器から取得する、機器固有情報３００に保持される各情報は、機器におけるアドレス（すなわちデータアドレス４１４）が一定に定められているものである。従って、取得する情報毎に定められたデータアドレスをデータアドレス４１４に指定することで、該情報の取得要求を行うことができる。
【００４８】
さて、機器一覧画面２００内の機種２３０に表示するための情報は（場合によってはメーカ２２０に表示するための情報も）、機器固有情報３００に保持されていることは先に述べた。しかしながら、機器によっては該情報を取得できない場合も考えられる。その場合は、図５に示すコマンドパケットを利用して該情報を取得する。
【００４９】
図５において５００がコマンドパケットであり、他の機器に対して、特定の機能の制御や状態の取得を要求するために用いられるものである。このコマンドパケット５００は非同期通信として利用されるものである。なお、このパケット５００のパケット構造、及びその使用方法については、「ＡＶ／Ｃコマンド規格」に規格化されている為、ここでは、パケット構造の概略についてのみ説明する。
【００５０】
コマンドパケット５００は、該パケットの送信先の機器を示す送信先ＩＤ５０１と、該パケットの属性を示すパケット属性５０２と、該パケットの送信元の機器を示す送信元ＩＤ５０３と、コマンドの内容であるコマンドフレーム５１０を書き込むアドレス（送信先ＩＤに示される機器におけるアドレス）を示すデータアドレス５０４と、コマンドフレーム５１０と、を含んで構成されるものである。コマンドフレーム５１０は、さらに、コマンドのタイプ（制御要求／制御応答、状態取得要求／状態取得応答など）を示すコマンドタイプ５１１と、機能を特定するための機能コード５１２と、該機能コード５１２毎に定められたパラメータ情報である付属データ５１３と、を含んで構成されるものである。
【００５１】
このようなコマンドパケット５００によって、例えば、機器一覧画面２００内のメーカ２２０に表示するための情報を、他の機器から取得する。この時、機能コード５１２には、該情報を取得する為の機能を示す値を指定する。
【００５２】
以上で、機器一覧画面２００を表示するために、他の機器から取得する情報、及び該取得処理において使用するパケットについての説明を終える。
【００５３】
次に本発明にかかる、ユーザが設定した機器の接続名称、すなわち機器一覧画面２００内の接続名２４０に表示するための情報、を管理するためのデータ構造について図６を用いて説明する。なお、この情報は、機器一覧画面２００を表示する機器が、接続設定制御部１１３（ＶＴＲ−Ａ１１０の場合）において記憶、管理するものである。
【００５４】
図６において、６００が接続名管理情報であり、機器を唯一に識別するための情報である機器ユニークＩＤ６１０（前述の機器ユニークＩＤ３１０）と、機器に対してユーザが設定した接続名のテキスト情報である接続名称６２０と、が各機器毎について格納される。
【００５５】
そして、この接続名管理情報６００と、これまでに説明したデータ及びパケットを利用することによって、機器一覧画面２００を表示する。
【００５６】
次に、機器一覧画面２００を表示するための処理について、そのフローチャートを示した図７を用いて説明する。
【００５７】
本処理は、ユーザによるリモコンなどの操作によって開始される。
【００５８】
まず、ネットワークシステム上の各機器に対して、順次、ステップ７０１からステップ７０４を繰り返し、機器一覧画面２００を表示するために必要な情報を収集する。
【００５９】
ステップ７０１では、メーカ２２０を表示するための情報を取得する。これは、前述のデータ読み出し要求パケット４１０（とデータ読み出し応答パケット４２０）を使用して、機器固有情報３００内の機器ユニークＩＤ３１０を読み出すことによって実現する。あるいは、機器ユニークＩＤ３１０と同等の情報をコマンドパケット５００を使用して取得する。
【００６０】
ステップ７０２では、機種２３０を表示するための情報を取得する。これは、ステップ７０１の処理と同様にパケット４１０／４２０を使用して、機器固有情報３００内の機器タイプ３０１を読み出すことで実現する。あるいは、機器タイプ３０１と同等の情報をコマンドパケット５００を使用して取得する。
【００６１】
ステップ７０３では、付属情報表示エリア２６０を表示するための情報を取得する。これは、ステップ７０１／７０２の処理と同様にパケット４１０／４２０を使用して、機器固有情報３００内の機器テキスト３０２を読み出すことで実現する。あるいは、機器テキスト３０２と同等の情報をコマンドパケット５００を使用して取得する。
【００６２】
そして、次ステップ７０４では、接続名２４０を表示するための情報を取得する。ここでは、接続名管理情報６００を参照し、ステップ７０１で取得した機器ユニークＩＤ３１０に対応する接続名称６２０の取得を行う。
【００６３】
このように、ステップ７０１からステップ７０４の処理を行うことで、（各機器毎の）機器一覧画面２００の表示に必要な情報を収集する。なお、ステップ７０１からステップ７０３の処理に関しては、必ずしもここで述べた順序で行う必要はない。ただし、これらの処理（ステップ７０４も含む）は同じ機器に対して行われるものである。
【００６４】
そしてステップ７０５では、ネットワークシステム上の全機器分の、機器一覧画面２００を表示するための情報の取得が完了したかどうかを判定する。ここで、全機器分完了したと判断された場合のみ、次ステップ７０６へと処理を移す。完了していない場合は、ステップ７０１へと処理を移し、情報未取得の機器について該一覧表示のための情報を収集する。
【００６５】
さて、ステップ７０６では、これまでのステップによって収集した情報を用いて、機器一覧画面２００の表示を行う。メーカ２２０の表示に際しては、機器ユニークＩＤ３１０内のメーカＩＤ３１１を、適切なテキスト情報へと変換する。機種２３０の表示に際しては、機器タイプ３０１を、適切なテキスト情報へと変換する。
【００６６】
機器一覧画面２００の表示処理を行った後は、ユーザからの操作を待つ状態へと移行する。ただし、ユーザ操作に対するタイムアウトなどの要因で本表示状態を終了させる場合もある。
【００６７】
さて、上記の処理を行うことによって、各機器から取得した機器固有の情報だけでなく、ユーザが機器に対して設定した接続名を用いて、機器一覧画面２００を表示することが可能となる。
【００６８】
なお（特に図示はしないが）、図６に示した接続名管理情報６００に、各機器毎に、さらに取得済みの機器タイプ３０１や機器テキスト３０２を保持するようにしても良い。そして、これらが既に取得済みである場合には、ステップ７０２／ステップ７０３の処理を行わず、ステップ７０４の処理において、接続名２４０とともに、機器タイプ３０１や機器テキスト３０２を取得するようにしても良い。
【００６９】
一方では、図２の説明において述べたように、本発明によれば、さらにこの機器一覧画面２００において、一覧に表示される各機器の表示順序を変更（ソート）する機能、機器を表す各項目を一覧表示に用いるかどうかを選択する機能、を提供する。以下では、これらの機能を実現するためのデータ構造について、図８を用いて説明する。
【００７０】
図８において、８００が表示設定情報であり、機器を表す各項目を一覧表示に用いるかどうかを示すフラグである表示フラグ８１０と、表示順序を変更（ソート）するための要素項目であるかどうかを示すフラグであるソートフラグ８２０と、が前記各表示項目毎に記憶、管理される。なお、ソートフラグ８２０については、いずれか一つの表示項目が、表示順序を変更（ソート）するための要素項目であることを示す値をとる。
【００７１】
上述のステップ７０６では、この表示設定情報を参照し、表示フラグ８１０及びソートフラグ８２０の設定状態に応じた表示処理を行うものである。すなわち、表示フラグ８１０が、「表示する」であることを示す値を持つ表示項目のみ表示対象とし、また、ソートフラグ８２０が、「ソートする」であることを示す値を持つ表示項目について各機器の表示順序を調整する。
【００７２】
さて本発明によれば、さらにこの機器一覧画面２００において表示される前述の接続名２４０を設定するを可能とする。そして、本設定の操作は機器一覧画面２００とは別の画面にて行う。以下では、この接続名２４０を設定する為の操作画面例、及び、処理内容について説明する。
【００７３】
まず、操作画面例について図９を用いて説明する。図９において、９００が接続名入力画面である。該画面内には、文字ボタン９２０が配置され、文字列の入力が可能となっている。ここで入力された文字列は、入力名表示領域９１０に表示される（以降、この文字列を「接続名文字列」とする）。接続名文字列の入力が完了した場合は、「戻る」ボタン９０３の指示によって、元の機器一覧画面２００に戻る。この際、入力された接続名文字列は、接続名管理情報６００内の該当する機器の接続名称６２０に格納される。
【００７４】
以下では、これらの一連の処理について、そのフローチャートを示した図１０を用いて説明する。
【００７５】
本処理は、機器一覧画面２００において、ユーザによって、一つの機器が選択され、かつその接続名２４０の設定の指示操作が行われるとによって開始される。
【００７６】
まず、最初のステップ１００１では接続名入力画面９００を表示する。ここで、選択された機器の接続名称６２０が既に設定されている場合は、その接続名称６２０を入力名表示領域９１０に表示する（この表示領域９１０への表示処理は必ずしも必須ではない）。
【００７７】
そして、次ステップ１００２では、ユーザに接続名文字列を入力させる。この際、入力された文字を逐次入力名表示領域９１０に表示する。
【００７８】
接続名文字列の入力が完了し、「戻る」ボタン９０３が指示された場合は、ステップ１００３の処理として、入力された接続名文字列を取得する。
【００７９】
そして、次ステップ１００４では、前ステップ１００３に取得された接続名文字列を用いて、接続名管理情報６００内の該当する機器の接続名称６２０を更新する。
【００８０】
最後に、ステップ１００５の処理として、機器一覧画面２００の表示処理を行う。
【００８１】
以上のような処理を行うことで、機器一覧画面２００内の接続名２４０に表示される文字列を、ユーザに設定させることが可能となる。言い換えれば、機器に対する名称をユーザが設定できるようになる。
【００８２】
さて本発明は、さらに機器間の接続管理に関して図１１に示すような機能を提供するものである。以下、図１１を参照しながら、これらの機能について一部処理を含めて説明する。
【００８３】
図１１において、１１００が接続設定画面である。
【００８４】
まず、１１１０はＤ−ＣＨ設定項目であり、「設定」と「解除」のいずれかを指示することができる。Ｄ−ＣＨとは、ここでは１３９４シリアルバス１００を介したアイソクロナス通信のことを意味している。１３９４シリアルバス１００に繋がれた各機器は、１３９４シリアルバス１００以外にも、アナログ通信による（映像、音声の）信号の伝送が可能である場合が多い。従って、１３９４シリアルバス１００を介したアイソクロナス通信は、他の機器との映像、音声信号の伝送において、必ずしも利用されるとは限らない。Ｄ−ＣＨ設定項目は、このような状況から設けられた機能であり、アイソクロナス通信が不要である場合などの理由で、「解除」が指示された場合にはアイソクロナス通信を無効にしようとするものである（後に述べるが必ず無効にできるとは限らない）。一方で、「設定」が指示された場合は、先の機器一覧画面２００を表示し、アイソクロナス通信が有効になった場合の、接続を張る機器を設定させる。なお、ここで設定され、かつ接続状態にある機器は、その機器の情報（機器一覧画面２００に表示される項目）が接続機器状態表示欄１１１１に表示される。
【００８５】
次に、１１２０は表示形式選択項目であり、ここでは「全表示」と「選択表示」のいずれかを指示することができる。これは、先に述べた、機器一覧画面２００における各表示項目をに関するもので、「全表示」が指示された場合は、表示設定情報８００内の表示フラグ８１０を、全ての項目が表示されるように更新する。結果として、機器一覧画面２００には全ての表示項目によって各機器が一覧表示されることになる。一方で「選択表示」が指示された場合は、各表示項目毎に「表示する」／「表示しない」の選択を行う画面（図示はしない）を表示し、各表示項目毎の表示を選択させる。ここでの選択結果は、表示設定情報８００内の表示フラグ８１０に反映され、結果として、機器一覧画面２００には選択された表示項目によって各機器が一覧表示されることになる。
【００８６】
次に１１３０は、転送速度設定項目であり、「１００Ｍビット／秒」と「オート」のいずれかを指示することができるものである。
【００８７】
次に１１４０は、ブロードキャスト設定項目であり、ここでは「解除」か、「入力」と「出力」のいずれかまたは両方を指示することができる。このブロードキャスト設定項目１１４０は、後に述べる「ブロードキャスト接続」に関する接続の設定を可能とするものである。
【００８８】
さて、本実施形態では、機器間の接続管理の例として、１３９４シリアルバス１００を介して映像や音声信号を送受信する際に、「ＩＥＣ６１８８３−１規格」に規格化されている機器接続方式を用いる。「ＩＥＣ６１８８３−１規格」では、上記ＩＥＥＥ１３９４規格によるアイソクロナス通信を利用して、映像信号や音声信号を伝送するための機器接続方式を規定しており、「ＩＥＣ６１８８３−１  Ｃｏｎｓｕｍｅｒ  ａｕｄｉｏ／ｖｉｄｅｏ  ｅｑｕｉｐｍｅｎｔ−Ｄｉｇｉｔａｌ  ｉｎｔｅｒｆａｃｅ−Ｐａｒｔ１：Ｇｅｎｅｒａｌ」として「Ｉｎｔｅｒｎａｔｉｏｎａｌ  Ｅｌｅｃｔｒｏｔｅｃｈｎｉｃａｌ  Ｃｏｍｍｉｓｓｉｏｎ」に規格化されているものである。
【００８９】
以下では、該「ＩＥＣ６１８８３−１規格」に規格化されている機器接続方式の概略について、図１２を用いて説明を加える。
【００９０】
図１２に示した通り、接続形式には「ｐｏｉｎｔ  ｔｏ  ｐｏｉｎｔ接続」と「ブロードキャスト接続」の２種類の形式がある。また、各機器には論理的な入力用／出力用の「接続プラグ」が存在する。そして各接続プラグに対して、状態を管理するためのレジスタが用意されており、アイソクロナス通信に使用する「アイソクロナスＣＨ」の番号などが保持される。
【００９１】
「ｐｏｉｎｔ  ｔｏ  ｐｏｉｎｔ接続」とは、一つの入力用接続プラグと、一つの出力用接続プラグと、一つのアイソクロナスＣＨとの関係のことを意味する。これに対し「ブロードキャスト接続」には、一つの入力用接続プラグと一つのアイソクロナスＣＨとの関係のことを意味する「ブロードキャストＩＮ接続」と、一つの出力用接続プラグと一つのアイソクロナスＣＨとの関係のことを意味する「ブロードキャストＯＵＴ接続」とが存在する。
【００９２】
「ｐｏｉｎｔ  ｔｏ  ｐｏｉｎｔ接続」は、接続を張ったアプリケーションのみが、その接続を切ることができる（いわゆるプロテクトされた接続と考えることができる）。また、接続を張ったアプリケーション以外のアプリケーションは、同じアイソクロナスＣＨを使用して、別の接続を重ねて張る（「オーバーレイ）ことができる。このため、前述の各接続プラグ用のレジスタには「ｐｏｉｎｔｔｏ  ｐｏｉｎｔ接続」の「接続カウント」が保持される。一方で「ブロードキャスト接続」は、どのアプリケーションでもその接続を切ることができる（従って他のアプリケーションが接続を奪い取ることができる）。また「ブロードキャスト接続」に「ｐｏｉｎｔ  ｔｏ  ｐｏｉｎｔ接続」を重ねて張ることも可能である。ただし、「ブロードキャスト接続」を張ることができるのは、その接続プラグを持っている機器のみに制限される。
【００９３】
そして、上述の各接続プラグ用のレジスタを参照することによって、該プラグが「ｐｏｉｎｔ  ｔｏ  ｐｏｉｎｔ接続」／「ブロードキャスト接続」どちらの接続で（両方の場合もある）使用されているか判別可能である。
【００９４】
なお、これらの接続管理の処理手順については、「ＩＥＣ６１８８３−１規格」に規格化されているので、ここでは説明を省略する。
【００９５】
以下では、この「ＩＥＣ６１８８３−１規格」を用いて、図１１に示したＤ−ＣＨ設定項目１１１０に関する処理手順について説明する。
【００９６】
ここでは、説明を簡単にするために、機器において同時に使用できる接続プラグは、入力、出力それぞれ一つであるものと仮定する。さらに、Ｄ−ＣＨを有効にすることによって自動で設定される接続は、入力、出力それぞれ一つずつであるものとする。
【００９７】
まず先に、本項目において「設定」が指示された場合の処理について説明する。これは、ユーザに選択された機器への「ｐｏｉｎｔ  ｔｏ  ｐｏｉｎｔ接続」を確立する機能を提供するものである。
【００９８】
本処理は、ユーザによる「設定」の指示がなされ、これによりステップ１３０１からステップ１３１０の処理を呼び出すことにより開始されるものである。
【００９９】
最初のステップ１３１０では、まず、ユーザに接続する機器を選択させるために、機器一覧画面２００を表示する。そして、次のステップ１３１１では、ユーザに接続する機器を選択させ、次のステップ１３１２で、現在の接続状態を確認する。具体的には、現在、ステップ１３１１において選択された機器（以降、選択機器）との接続があるかどうかを判定する。そして、選択機器との接続が既になされている場合は、ステップ１３１６へと処理を移す。
【０１００】
一方で、選択機器との接続がない場合は、次のステップ１３１３において、他機器が設定した「ｐｏｉｎｔ  ｔｏ  ｐｏｉｎｔ接続」があるかどうか確認する。ここで、ないと確認された場合はステップ１３１４へと処理を移す。一方であると確認された場合は、本処理を終了する（他の機器が張った接続は解除できないため、またはここで選択機器との「オーバレイ」接続を張っても良い）。
【０１０１】
ステップ１３１４では、解除すべき接続があればその接続を解除し、次のステップ１３１５において、選択機器との接続を確立する。
【０１０２】
そして、最後にステップ１３１６で、接続設定画面１１００の表示を行い（すなわちＤ−ＣＨ設定項目がある画面に戻す）、本処理を終了する。
【０１０３】
このようにすることで、ユーザに選択された機器への「ｐｏｉｎｔ  ｔｏ  ｐｏｉｎｔ接続」を確立する機能を提供することが可能となる。
【０１０４】
次に、本項目において「解除」が指示された場合の処理について説明する。これは、解除可能な接続をすべて解除する機能を提供するものである。そして、本処理は、ユーザによる「解除」の指示がなされ、これによりステップ１３０１からステップ１３２０の処理を呼び出すことにより開始されるものである。
【０１０５】
最初のステップ１３２０では、まず、現在の接続状態を確認する。具体的には、現在、自機器が設定した（または「オーバーレイ」した）「ｐｏｉｎｔ  ｔｏｐｏｉｎｔ接続」があるかどうか確認する。そして、ある場合のみステップ１３２１へ処理を移し、該接続の（接続プラグの）「接続カウント」を１デクリメントする（この結果「接続カウント」が０になれば、接続が解除されたことになる）。
【０１０６】
ステップ１３２２では、さらに現在の接続状態において「ブロードキャスト接続」があるかどうかを確認する。ここで、ある場合は次ステップ１３２３でその接続を解除し、本処理を終了する。一方でない場合は、そのまま本処理を終了する。
【０１０７】
このようにすることで、一操作のみで、解除可能な接続をすべて解除する機能を提供することが可能となる。
【０１０８】
さて、以下では、前述の「ＩＥＣ６１８８３−１規格」を用いて、図１１に示したブロードキャスト設定項目１１４０に関する処理手順について説明する。
【０１０９】
まず先に、本項目において「解除」が指示された場合の処理について説明する。これは、その時点での「ブロードキャスト接続」があれば、その接続を解除する機能を提供するものである。そして、本処理は、ユーザによる「解除」の指示がなされ、これによりステップ１４０１からステップ１４１０の処理を呼び出すことにより開始されるものである。
【０１１０】
最初のステップ１４１０では、まず、その時点での「ブロードキャスト接続」があるかどうかを判定する。ここで、あると判定された場合は次ステップ１４１１でその接続を解除し、本処理を終了する。一方で、ないと判定された場合は、そのまま本処理を終了する。
【０１１１】
このようにすることで、その時点での「ブロードキャスト接続」があれば、その接続を解除する機能を提供することが可能となる。
【０１１２】
次に、本項目において「出力」が指示された場合の処理について説明する。これは、その時点で「ブロードキャスト接続」による出力接続（「ブロードキャストＯＵＴ接続」）がなければ、その接続を確立する機能を提供するものである。そして、本処理は、ユーザによる「出力」の指示がなされ、これによりステップ１４０１からステップ１４１０の処理を呼び出すことにより開始されるものである。
【０１１３】
最初のステップ１４２０では、まず、その時点で「ブロードキャスト接続」による出力接続があるかどうかを判定する。ここで、ないと判定された場合は次ステップ１４２１で、新たに「ブロードキャスト接続」による出力接続を確立し、本処理を終了する。一方で、あると判定された場合は、そのまま本処理を終了する。
【０１１４】
このようにすることで、その時点で「ブロードキャスト接続」による出力接続がなければ、その接続を確立する機能を提供することが可能となる。別の見方をすれば、ユーザは、明示的に、「ブロードキャスト接続」による出力接続を指示することが可能となる。
【０１１５】
なお。ステップ１４２１において「ブロードキャスト接続」による出力接続を確立する際、自機器が用いる予定の「アイソクロナスＣＨ」を、他の機器が（「ブロードキャスト接続」による出力用として）既に使用している場合は、以下の方法を用いることによって対処すれば良い。一つ目の方法では、他の機器の（「ブロードキャスト接続」の）出力接続を解除した後に、予定通りの「アイソクロナスＣＨ」を使用して接続を確立する。二つ目の方法では、予定通りの「アイソクロナスＣＨ」とは別の「アイソクロナスＣＨ」を使用して接続を確立する。これらの方法が利用できず、接続の確立が不能である場合には、ユーザにその旨を通知して本処理を終了すれば良い。
【０１１６】
次に、本項目において「入力」が指示された場合の処理について説明する。これは、その時点で「ブロードキャスト接続」による入力接続（「ブロードキャストＩＮ接続」）がなければ、その接続を確立する機能を提供するものである。さらには、この時、入力の対象となる出力を検索し、該出力が一つのみ検索された場合は、その出力に合わせた入力接続の設定を行い、一方で、該出力が複数検索された場合は、ユーザに入力対象とする出力を選択させた上で、その出力に合わせた入力接続の設定を行う機能を提供するものである。なお、ここでは、説明を簡単にするために、一つの機器は一つの出力のみ可能であると仮定する（従って、入力対象とする出力は、入力対象とする機器とみなすことができる）。
【０１１７】
本処理は、ユーザによる「入力」の指示がなされ、これによりステップ１４０１からステップ１４３０の処理を呼び出すことにより開始される。
【０１１８】
最初のステップ１４３０では、まず、その時点で「ブロードキャスト接続」による入力接続があるかどうかを判定する。ここで、ないと判定された場合は次ステップ１４３１に処理を移す。一方で、あると判定された場合は、そのまま本処理を終了する。
【０１１９】
さてステップ１４３１では、先にも述べたように、入力の対象となる出力を検索し、かつ、該出力が一つのみであるかどうかを判定する。ここで、一つのみと判定された場合は、ステップ１４３２にて、該出力に合わせた（すなわち「アイソクロナスＣＨ」を合わせた）入力接続を確立し、本処理を終了する。一方で、複数あると判定された場合は、ステップ１４３３に処理を移す。
【０１２０】
ステップ１４３３では、全ステップ１４３０及び１４３１で認識された出力を行っている機器についての機器一覧画面２００を表示し、ユーザに、入力の対象とする出力の選択を促す。そして、ステップ１４３４では、ユーザに機器（従って入力の対象とする出力）を選択させ、次のステップ１４３５で、該選択された機器（出力）に合わせた（すなわち「アイソクロナスＣＨ」を合わせた）入力接続を確立する。
【０１２１】
そして、最後にステップ１４３６で、接続設定画面１１００の表示を行い（すなわちブロードキャスト設定項目がある画面に戻す）、本処理を終了する。
【０１２２】
このようにすることで、その時点で「ブロードキャスト接続」による入力接続がなければ、その接続を確立する機能を提供することが可能となる。別の見方をすれば、ユーザは、明示的に、「ブロードキャスト接続」による入力接続を指示することが可能となる。
【０１２３】
なお、ステップ１４３１において入力の対象となる出力を検索する際に、該出力を「ブロードキャスト接続」による接続のみ（あるいは「ｐｏｉｎｔ  ｔｏ  ｐｏｉｎｔ接続」のみ）を検索の対象とするようなことも可能である。このような場合には、先の「ＩＥＣ６１８８３−１規格」の説明でも述べたように、各接続プラグ用のレジスタによって、その接続形式を判別すれば良い。
【０１２４】
また、このような処理を利用することによって、入力の対象となる出力を、「次」／「前」などの操作によって、順次入力する（「ブロードキャスト接続」による入力接続を行う）ようなことも可能である。（処理フローについて図示はしないが）このような場合には、ステップ１４３１とステップ１４３５の処理を利用し、ユーザの操作に応じて、順次出力の検索および接続の確立を行うようにすれば良い。
【０１２５】
以上説明したような方式を用いることによって、１３９４シリアルバス１００によるネットワークシステム上の機器は、（他の）機器に対してユーザが設定した名称を（接続名）用いて、該ネットワークシステムに接続された機器の一覧表示を行うことが可能となる。この接続名は、各機器が保持する機器固有情報３００から取得した（メーカ名、機種などの）情報とともに表示されるので、該接続名が未設定の場合でも機器の判別は可能である。また、機器固有情報３００の各情報、および接続名の表示ができない場合でも、一覧表示における最終位置（図２「最終データ」エリア２５０）を明示するので、何らかの機器が存在することを知らせることが可能である。
【０１２６】
なお、本接続名については、本実施形態の説明においては、該一覧表示を行う機器がその設定機能を提供するものとしたが、別の手段として、他の機器において管理されている前述接続名管理情報６００を取得して用いるように構成しても良い。その実現のためには、接続名管理情報６００を機器間で送受信するために、図４に示した非同期通信のパケット（４１０、４２０）や、コマンドパケット５００を利用すれば良い。
【０１２７】
一方で、本機器一覧表示においては、該一覧に表示される各機器の表示順序を変更（ソート）できるようにしたので、該一覧から所望の機器の選択を容易することが可能である。さらには、機器を表す各表示項目の選択をできるようにしたので、例えば接続名のみの一覧表示を行うことも可能である。
【０１２８】
また、該一覧表示を活用した、以下のような、映像や音声信号を伝送する際に使用されるアイソクロナス通信の制御が可能となる。
【０１２９】
まず、アイソクロナス通信そのものについて、「利用する（設定）」／「解除する」ための選択を可能とし、かつ、「利用する」の場合は、該一覧を用いて接続対象とする機器を選択、設定が可能である。こうすることによって、アイソクロナス通信のための接続機器を固定的に（デフォルトで）設定することが可能となる。また、アイソクロナス通信を一斉同報的に行うための「ブロードキャスト接続」に関する設定が可能である。これによって、ユーザは、明示的に「ブロードキャスト接続」による入力／出力接続またはその解除を指示することが可能となる。特に入力接続に関しては、対象となる出力機器（接続プラグ）を該一覧から選択できるようにしたので、「アイソクロナスＣＨ」などの通信に必要な情報を、ユーザに意識させずに済むようになる。
【０１３０】
さて、以降では、該機器一覧画面２００を利用した機能の一例として、ＶＴＲ−Ａ１１０からＶＴＲ−Ｂ１２０へのダビング機能について、そのフローチャートを示した図１６および図１７を用いて説明する。機器一覧画面２００の表示処理は、これまでの説明と同様にＶＴＲ−Ａ１１０が行うものとするが、ダビング機能に関しては、ＶＴＲ−Ａ１１０が再生機器、ＶＴＲ−Ｂ１２０が記録機器とする。
【０１３１】
図１６は、ダビングを実行（すなわち、ＶＴＲ−Ａ１１０はＡＶデータの出力を開始、ＶＴＲ−Ｂ１２０はそのＡＶデータを記録）するまでの処理を示している。一方で、図１７は、ダビング実行中の処理を示すもので、特に、何らかのエラーやユーザのキャンセル指示も含めて、ダビングを終了させるための処理を示している。
【０１３２】
図１６に示すように、本ダビング実行開始処理は、リモコンなどの操作によってダビングの指示が行われることにより開始されるものである。
【０１３３】
最初のステップ１６０１では、これまで述べてきた方法により、ネットワークシステム上の機器に関する機器一覧画面２００を表示する。そして、ステップ１６０２において、記録を行う機器をユーザに選択させる。
【０１３４】
ステップ１６０３では、ダビング実行のための各種準備処理を行うステップであり、自機器（再生機器）の制御、および前ステップ１６０２で選択された機器（記録機器）を制御（および該機器の状態確認）し、ダビング実行準備にかかる一連の処理を、ユーザの操作を介在させることなしに実行するものである（場合によっては処理の確認のためのユーザ操作が介在する）。これらの準備処理は、使用する機器のタイプや、提供するダビング機能に依存するものであるが、ここでは、例えば、再生機器に関しては、磁気テープ１１５に記録されているＡＶデータの頭だし、およびその再生スタンバイ（再生一時停止）などの処理、また記録機器に関しては、磁気テープの挿入状態や種類などの確認、および記録スタンバイ（記録一時停止）などの処理、さらには再生／記録機器間の接続に関するものとして、先に述べた「アイソクロナス通信」のための接続確立などの処理を、一連で行うものである。
【０１３５】
そして、ステップ１６０３による記録準備処理が正常に完了した場合は、次ステップ１６０４に処理を移し、自機器（再生機器）は、磁気テープ１１５に記録されているＡＶデータの再生を行うとともに「アイソクロナス通信」によって該ＡＶデータを出力する。またこれに同期して、記録機器に対して、該ＡＶデータを記録開始するよう制御する。その後は、記録中の状態（ステップ１６０５）となる。なお、本ステップ１６０４の処理も、ステップ１６０２と同様に、記録開始にかかる一連の処理を、ユーザの操作を介在させることなしに実行するものである（場合によっては処理の確認のためのユーザ操作が介在する）。
【０１３６】
一方で、ステップ１６０３による記録準備処理が正常に完了しなかった場合は、ステップ１６０６に処理を移し、該記録準備処理が正常に完了しなかった旨および／またはその理由を、表示などの手段でユーザに通知して、本ダビング実行開始処理を終了する。具体的例としては図１８に示すようなエラーメッセージを表示するものであり、記録機器に磁気テープが挿入されていないと判断された場合はメッセージ１８０１を、記録機器に挿入されている磁気テープが記録不能なもの（記録禁止状態など）と判断された場合はメッセージ１８０２を、記録機器に挿入されている磁気テープが、再生機器が再生するＡＶデータを記録不能なもの（記録フォーマットの違いなど）と判断された場合はメッセージ１８０３を、さらには、記録機器との通信でエラーを起こし制御不能な場合などはメッセージ１８０６を用いるものである。
【０１３７】
以上のようにすることで、必要最低限の操作によって、ダビング機能を実行開始することが可能となる。
【０１３８】
なお、ここで記録機器の磁気テープの状態チェックや記録開始制御などは、先のコマンドパケット５００を利用して行われるものであり、具体的使用方法については「ＡＶ／Ｃコマンド規格」に記載されている。
【０１３９】
また、上記では、ステップ１６０３の準備処理の具体例として、再生機器における磁気テープ１１５に記録されているＡＶデータの頭だしを例に挙げた。この頭だしに関して、別の見方の例としては、例えば、記録の準備処理の前に、磁気テープ１１５に記録されているＡＶデータの一覧を表示して、ダビングするＡＶデータをユーザに選択させるような機能を追加しても良い。ただし、ユーザに選択されたＡＶデータが複数あり、かつ、それらが連続して記録されていない場合は、以降で述べるダビングの実行時において、記録一時停止とＡＶデータの頭だしの処理を加える必要がある。ただし、このような処理については、これまで説明した再生機器、記録機器のそれぞれの制御方法を利用すれば良い。また、磁気テープに記録されているＡＶデータを一覧表示する方法については、公知の技術があり、例えば、特開平１１−３９８４７号公報に公開されている「映像信号記録再生装置」に記載されているような技術を用いれば良い。
【０１４０】
また、ユーザの誤操作を抑えるために、ダビング実行開始処理を行うにあたっては、図１９に示すような画面を表示し、処理の状態を確認可能とする。本画面は、主にステップ１６０３の記録準備処理と、ステップ１６０４の記録開始処理を行うときに表示されるものである。
【０１４１】
図１９において、本画面には、再生側機器に関して１９１０のフィールド、記録側機器に関して１９２０のフィールドに、各々使用される機器の情報が表示される。機器の情報としては、機器一覧画面２００において用いたメーカ２２０、機種２３０、接続名２４０などを用いる。
【０１４２】
また、１９０１のフィールドには、その時点で行っている処理の状態が表示される。図ではステップ１６０３の記録準備処理を行っている旨を示すメッセージを例にしている。
【０１４３】
さて、以下では、このダビング実行開始処理によって、記録中の状態（ステップ１６０５）から、ダビングを終了させるための処理について説明する。勿論、これらは、かかる一連の処理を、ユーザの操作を介在させることなしに実行するものである（場合によっては処理の確認のためのユーザ操作が介在する）。
【０１４４】
図１７に示すように、本ダビング終了処理は、記録中の状態（ステップ１６０５）において、何らかの終了要因を検知することによって、ダビングを終了させる。
【０１４５】
まず、ステップ１７０１は、記録中の状態（ステップ１６０５）において、一定の周期間隔でダビング処理に関するエラーが発生していないか監視する処理である。具体的には、記録機器に上記コマンドパケット５００により、例えば、記録機器の電源状態の確認、記録機器の動作状態（記録中であるかなど）の確認などを行う。ここで、エラーが発生したと判断された場合は、ステップ１７０２へに処理を移し、該ダビング処理が正常に完了しなかった旨および／またはその理由を、表示などの手段でユーザに通知する。具体的例としては図１８に示すようなエラーメッセージを表示するものであり、記録機器が何らかの理由で停止状態になった判断された場合はメッセージ１８０４を、１３９４シリアルバス１００に新たな機器が接続され、結果としてバスリセット（詳しくは「１３９４規格」に記載）が発生したと判断された場合はメッセージ１８０５を、記録機器との通信でエラーを起こしダビング続行不能な場合などはメッセージ１８０６を用いるものである。なお、上記バスリセットについては、必ずしもダビング続行不能になる要件ではないが、ダビングされるＡＶデータが一部途切れるなどの可能性があるため、完璧なダビングを行うためには問題となり得る要件である。
【０１４６】
一方で、ステップ１７０３では、記録中の状態（ステップ１６０５）において、正常あるいはエラーによって再生が完了した場合、もしくはユーザからダビングキャンセル操作が行われた場合の非周期的な割り込みを受け付け、次ステップ１７０４へ処理を移す。そしてステップ１７０４では、記録機器の（記録）停止制御を行う（必要あれば電源停止などの制御も行っても良い）。
【０１４７】
ステップ１７０２、またはステップ１７０４を処理した後は、ステップ１７０５の処理として、自機器（再生機器）におけるＡＶデータの出力を停止して、本ダビング処理を終了する。なお、ここで、自機器が再生中である場合は、磁気テープ１１５に記録されているＡＶデータの再生を停止する。
【０１４８】
さて、このようにして、何らかの終了要因を検知することによって、ダビングを終了させることが可能となるわけである。一方では、本発明は、これらの要因が発生した場合に、ダビングを一時中断し、かつ再開可能とすることも目的としている。以下では、ダビングを再開させる方法について説明を加える。
【０１４９】
まず、ダビングを再開させるための操作画面例について図２０を用いて説明する。図２０において２０００がそのメッセージであり、ダビングが中断されている旨が示され（その要因についても示されることが好ましい）、さらに、再開／終了の選択指示を受け付けるボタンが示されている。ダビングの再開は、ここで再開ボタンが指示されることによって試みられるものである。以下、これらの処理について、そのフローチャートを示した図２１を用いて説明する。
【０１５０】
図２１に示す通り、本処理と図１７に示したダビング終了処理との相違は、上述のステップ１７０１の処理によって、エラーが発生したと判断された後の処理手順である。
【０１５１】
本処理では、エラーが発生したと判断された場合は、ステップ２１０１の処理として、まず、自機器（再生機器）において、磁気テープ１１５に記録されているＡＶデータの再生、および、ＡＶデータの出力を一時中断する。
【０１５２】
次にステップ２１０２の処理として、前述のメッセージ２０００を表示し、ユーザから再開／終了の選択指示を受け付ける。ユーザは本メッセージ２０００の表示中に（再開指示の前に）、エラー要因に対処することが可能である。例えば、記録機器に挿入されている磁気テープが終了しているような場合に、別の磁気テープに差し替えることなどである。
【０１５３】
そして、該ステップ２１０２において、再開が指示された場合には、再度図１６に示したステップ１６０３の記録準備処理から処理を再開する。一方で、終了が指示された場合には、再生機器において一時中断されているＡＶデータの再生および出力を停止し、本処理を終了する。
【０１５４】
このようにすることで、何らかのエラー要因が発生した場合に、ダビングを一時中断し、かつ再開することが可能となる。
【０１５５】
以上説明したように、ユーザは、ダビング（記録）の指示と、記録させる機器を選択する操作のみで、ＡＶデータのダビング（記録）機能を利用することができるようになる。そして、記録させる機器を選択する際には、これまで述べたユーザが機器に対して設定した接続名による機器一覧画面２００を利用することが可能になる。さらには、ダビングの準備処理や実行中において、実行不能となった場合に、ユーザにその旨を通知することが可能となる。
【０１５６】
勿論、このような機能は、ダビング機能のみでなく、再生機器がＩＲＤ１３０の場合でも利用することも可能である。例えば、ＩＲＤ１３０が表示している番組ガイドから、所望の番組を選択させ、かつ上述の機器一覧画面２００から、該番組を記録させる機器を選択させるようにする場合などである。このような場合は、例えば、該番組ガイドの表示画面に、機器選択機能（機器一覧画面２００）を呼び出す機能を追加すれば良い。
【０１５７】
一方では、記録機器がビデオディスクレコーダの場合についても同様である。このよう場合は、記録の準備処理（図１６）や記録中の処理（図１７）において、（磁気テープの代わりに）ディスクについてその挿入状態などを確認するよう処理を変更すれば良い。
【０１５８】
さらには、例えばダビング機能において、機器一覧画面２００を行う機器と再生機器と記録機器が、それぞれ別の機器であっても良い。このような場合には、機器一覧画面２００を行う機器は、これまで述べた方法において、再生機器と記録機器のそれぞれを、機器一覧画面２００によって選択する手段、コマンドパケット５００によって制御する手段を設ければ良い。
【０１５９】
【発明の効果】
本発明によれば、ユーザは、記録再生にかかる、記録の指示と、再生／記録させる機器を選択する操作のみで、ＡＶデータの記録再生機能を利用することができるようになる。
【０１６０】
そして、機器を選択する際には、（他の）機器に対してユーザが設定した名称を（接続名）用いて、該ネットワークシステムに接続された機器の一覧表示を利用することが可能になる。
【０１６１】
さらには、記録再生にかかる準備処理や実行中の処理において、実行不能となる要件が発生した場合に、ユーザにその旨を通知することが可能となる。通知の際には、記録再生にかかる再生または記録の処理を一時中断させるので、該要因を解除した後に記録再生の機能を再開することができる。
【図面の簡単な説明】
【図１】本実施形態にかかるＶＴＲ−Ａ及びＶＴＲ−Ｂ及びＩＲＤの構成を示したブロックタイヤグラムである。
【図２】ネットワークシステムに接続されている機器に関する、機器一覧画面の画面例を示した図である。
【図３】ネットワークシステム上の各機器が保持している、機器固有情報のデータ構造を示した図である。
【図４】図３に示した機器固有情報などの情報を読み出す際に用いられる非同期パケットの構造を示した図である。
【図５】図３に示した機器固有情報などの情報の取得や、他の機器の制御を行うためのコマンドパケットの構造を示した図である。
【図６】ユーザが機器に対して設定した接続名称を管理するために用いられる、接続名管理情報のデータ構造を示した図である。
【図７】本実施形態にかかる機器一覧画面を表示するための処理を示したフローチャートである。
【図８】本実施形態にかかる機器一覧画面において、表示項目設定や表示順序設定を行うために用いられる表示設定情報のデータ構造を示した図である。
【図９】機器に対する接続名称をユーザに設定させるための、接続名入力画面の画面例を示した図である。
【図１０】本実施形態にかかる機器に対する接続名称を設定させるための処理を示したフローチャートである。
【図１１】ネットワークシステム上の機器に対する接続の設定を行うための、接続設定画面の画面例を示した図である。
【図１２】アイソクロナス通信によって映像、音声信号を伝送する際に用いられる機器接続方式の概要を示した図である。
【図１３】機器間接続に関する設定を行うための処理を示したフローチャートである。
【図１４】ブロードキャスト接続に関する設定を行うための処理を示したフローチャートである。
【図１５】ネットワークシステム上に接続されている機器が無い場合に、機器一覧画面に代わって表示されるメッセージ画面の画面例を示した図である。
【図１６】本実施形態におけるダビング機能の実行開始処理を示したフローチャートである。
【図１７】本実施形態におけるダビング機能の実行終了処理を示したフローチャートである。
【図１８】ダビング処理に関するエラーメッセージ画面の画面例を示した図である。
【図１９】ダビングの実行開始処理において表示される、確認画面の画面例を示した図である。
【図２０】ダビング実行時において、ダビングが一時中断された時に表示されるメッセージの例を示した図である。
【図２１】ダビングの一時中断、およびその再開を行うための処理を示したフローチャートである。
【符号の説明】
１００  １３９４シリアルバス
１１０、１２０  ＶＴＲ
１２０  ＩＲＤ
１４０  ＴＶ
１１１、１２１、１３１  通信制御部
１１２、１２２、１３２  システム制御部
１１３、１２３、１３３  接続設定制御部
１１６、１２６、１３６  表示制御部
２００  機器一覧画面
３００  機器固有情報
４１０  データ読み出し要求パケット
４２０  データ読み出し応答パケット
５００  コマンドパケット
６００  接続名管理情報
８００  表示設定情報
９００  接続名入力画面
１１００  接続設定画面
【図１】
0003817973.tif 000002
【図２】
0003817973.tif 000003
【図３】
0003817973.tif 000004
【図４】
0003817973.tif 000005
【図５】
0003817973.tif 000006
【図６】
0003817973.tif 000007
【図７】
0003817973.tif 000008
【図８】
0003817973.tif 000009
【図９】
0003817973.tif 000010
【図１０】
0003817973.tif 000011
【図１１】
0003817973.tif 000012
【図１２】
0003817973.tif 000013
【図１３】
0003817973.tif 000014
【図１４】
0003817973.tif 000015
【図１５】
0003817973.tif 000016
【図１６】
0003817973.tif 000017
【図１７】
0003817973.tif 000018
【図１８】
0003817973.tif 000019
【図１９】
0003817973.tif 000020
【図２０】
0003817973.tif 000021
【図２１】
0003817973.tif 000022